(57)【要約】【課題】端部まで良好に異方化した円弧形状の永久磁石を提供する。【解決手段】半径方向に磁化容易軸を有する円環状磁性体を、半径方向に沿って切断して円弧状磁性体１００ａ〜１００ｊを得る。これら円弧状磁性体１００ａ〜１００ｊの半径方向に沿って着磁して円弧状永久磁石を得る。円弧状磁性体１００ａ〜１００ｊは、半径方向に磁化容易軸を有する円環状磁性体をその半径方向に沿って切断して得られるので、磁化容易軸と半径方向との整合性は周方向端部においても優れている。よって半径方向に着磁して得られた円弧状永久磁石は、その磁化方向と半径方向との整合性は周方向端部においても優れている。【選択図】図２
2005210803.tif 000002
【特許請求の範囲】
【請求項１】
（ａ）半径方向に磁化容易軸を有する円環状磁性体（１００）を、前記半径方向に沿って切断して円弧状磁性体（１００ａ〜１００ｊ）を得るステップと、
（ｂ）前記円弧状磁性体の前記半径方向に沿って着磁して円弧状永久磁石（２００，２００ａ〜２００ｄ）を得るステップと
を備える、円弧状永久磁石の製造方法。
【請求項２】
（ａ）半径方向に磁化容易軸を有する円環状磁性体（１００）を、前記半径方向に沿って切断して円弧状磁性体（１００ａ〜１００ｊ）を得るステップと、
（ｂ）前記円弧状磁性体の凸側を中心軸側に向けて回転子（３００）の内側に設けるステップと、
（ｃ）前記円弧状磁性体の前記半径方向に沿って着磁して円弧状永久磁石（２００，２００ａ〜２００ｄ）を得るステップと
を備える、埋め込み磁石型の回転子の製造方法。
【請求項３】
前記ステップ（ｂ）において、前記円弧状磁性体（１００ａ〜１００ｊ）の周方向についての端部（２０１ａ，２０２ａ）の面（２０３ａ，２０４ａ））が、前記回転子（３００）の外周面（３１０）と略平行に配置される、請求項２記載の埋め込み磁石型の回転子の製造方法。
【請求項４】
（ａ）半径方向に磁化容易軸を有する円環状磁性体（１００）を、前記半径方向に沿って切断して円弧状磁性体（１００ａ〜１００ｊ）を得るステップと、
（ｂ）前記円弧状磁性体の前記半径方向に沿って着磁して円弧状永久磁石（２００，２００ａ〜２００ｄ）を得るステップと
（ｃ）前記円弧状永久磁石の凸側を中心軸側に向けて回転子（３００）の内側に設けるステップと、
を備える、埋め込み磁石型の回転子の製造方法。
【請求項５】
前記ステップ（ｃ）において、前記円弧状永久磁石（２００，２００ａ〜２００ｄ）の周方向についての端部（２０１ａ，２０２ａ）の面（２０３ａ，２０４ａ））が、前記回転子（３００）の外周面（３１０）と略平行に配置される、請求項４記載の埋め込み磁石型の回転子の製造方法。
【請求項６】
前記ステップ（ａ）において、前記円弧状磁性体（１００ａ〜１００ｊ）の円弧角として、前記回転子の極数で３６０°を除した結果を１８０°から減じた角度を採用して切断する、請求項２乃至請求項５のいずれか一つに記載の埋め込み磁石型の回転子の製造方法。
【請求項７】
前記ステップ（ａ）において、前記円環状磁性体（１００）を等分して切断する、請求項２乃至請求項６のいずれか一つに記載の埋め込み磁石型の回転子の製造方法。
【請求項８】
前記ステップ（ａ）において、前記円環状磁性体（１００）を４等分して切断する、請求項７記載の埋め込み磁石型の回転子の製造方法。
【請求項９】
前記ステップ（ａ）において、前記円環状磁性体（１００）を６等分して切断する、請求項７記載の埋め込み磁石型の回転子の製造方法。
【請求項１０】
前記円弧状磁性体（１００）はネオジム系希土類磁石を用いる、請求項３及び請求項５のいずれか一つに記載の埋め込み磁石型の回転子の製造方法。
【発明の詳細な説明】
【技術分野】
【０００１】
本発明は、埋め込み磁石型の回転子の製造技術に関する。また、例えば埋め込み磁石型同期モータの回転子の製造に採用可能な円弧状永久磁石の製造技術にも関する。
【背景技術】
【０００２】
埋め込み磁石型同期モータにおいて、埋め込み用磁石としては、例えばフェライト磁石、ネオジム系希土類磁石が採用されている。
【０００３】
フェライト磁石の最大エネルギー積は小さい。よってフェライト磁石を埋め込み用磁石として採用する場合、総磁束量を稼ぐべく、その磁極表面積を大きく採ることが望ましい。かかる観点もあって、埋め込み用磁石のフェライト磁石は円弧形状が主流である。円弧形状のフェライト磁石を製造する場合、円弧形状のまま磁場を与えつつ焼成することにより、異方化を行う。但し、異方化の方向により収縮度合いが異なるため、収縮による変形を見込んだ形状の金型を用いて焼成を行う。
【０００４】
ネオジム系希土類磁石を埋め込み用磁石として採用する場合、その形状を平板とする場合が多い。ネオジム系希土類磁石は最大エネルギー積が大きいため、少ない量で必要な磁束量を確保することが可能なためである。また平板の形状は、コストの観点からも有利である。
【０００５】
なお、本発明に関連する技術を開示するものとして、下記文献がある。
【０００６】
【特許文献１】特開２００１−１６９５１４号公報
【特許文献２】特開平１０−１９３３３５号公報
【特許文献３】特開平１０−２０２６４９号公報
【非特許文献１】ダイドー電子、「NEOQUENCH-DR  ラジアル異方性リング磁石」カタログ
【発明の開示】
【発明が解決しようとする課題】
【０００７】
埋め込み磁石同期モータにて、更なる小型化の要求から、円弧形状のネオジム系希土類磁石を使用することも検討されている。
【０００８】
円弧形状のネオジム系希土類磁石を製造する場合も、フェライト磁石の場合と同様、所定の形状の金型にて焼結を行う。磁石の寸法精度を得るための後加工を容易にし、スクラップ量を小さくするためである。
【０００９】
しかしながら、このような製造方法においては端部の異方化が困難である。またボンド磁石は形状を任意に製造し易いが、等方性の場合が多く、また非磁性体であるバインダを混合する理由で、最大エネルギー積が低下する傾向にある。
【００１０】
埋め込み磁石同期モータの場合、埋め込み用磁石の端部にて減磁が発生し易いので、端部での磁気異方性が高めて減磁耐力を増大させることが望ましい。特にボンド磁石を埋め込み用磁石に採用すれば、コギングトルクの増大をも招来する可能性があり、着磁に一定の工夫を施す必要がある（特許文献１等）。
【００１１】
本発明は、端部まで良好に異方化した円弧形状の永久磁石を提供することを目的とする。またかかる永久磁石を採用した埋め込み磁石型の回転子を提供することを目的とする。
【課題を解決するための手段】
【００１２】
この発明の第１の態様は、円弧状永久磁石の製造方法である。そして（ａ）半径方向に磁化容易軸を有する円環状磁性体（１００）を、前記半径方向に沿って切断して円弧状磁性体（１００ａ〜１００ｊ）を得るステップと、（ｂ）前記円弧状磁性体の前記半径方向に沿って着磁して円弧状永久磁石（２００，２００ａ〜２００ｄ）を得るステップとを備える。
【００１３】
この発明の第２の態様は埋め込み磁石型の回転子の製造方法である。そして（ａ）半径方向に磁化容易軸を有する円環状磁性体（１００）を、前記半径方向に沿って切断して円弧状磁性体（１００ａ〜１００ｊ）を得るステップと、（ｂ）前記円弧状磁性体の凸側を中心軸側に向けて回転子（３００）の内側に設けるステップと、（ｃ）前記円弧状磁性体の前記半径方向に沿って着磁して円弧状永久磁石（２００，２００ａ〜２００ｄ）を得るステップとを備える。
【００１４】
この発明の第３の態様は、第２の態様にかかる埋め込み磁石型の回転子の製造方法である。そして前記ステップ（ｂ）において、前記円弧状磁性体（１００ａ〜１００ｊ）の周方向についての端部（２０１ａ，２０２ａ）の面（２０３ａ，２０４ａ））が、前記回転子（３００）の外周面（３１０）と略平行に配置される。
【００１５】
この発明の第４の態様は埋め込み磁石型の回転子の製造方法である。そして（ａ）半径方向に磁化容易軸を有する円環状磁性体（１００）を、前記半径方向に沿って切断して円弧状磁性体（１００ａ〜１００ｊ）を得るステップと、（ｂ）前記円弧状磁性体の前記半径方向に沿って着磁して円弧状永久磁石（２００，２００ａ〜２００ｄ）を得るステップと（ｃ）前記円弧状永久磁石の凸側を中心軸側に向けて回転子（３００）の内側に設けるステップとを備える。
【００１６】
この発明の第５の態様は、第４の態様にかかる埋め込み磁石型の回転子の製造方法である。そして前記ステップ（ｃ）において、前記円弧状永久磁石（２００，２００ａ〜２００ｄ）の周方向についての端部（２０１ａ，２０２ａ）の面（２０３ａ，２０４ａ））が、前記回転子（３００）の外周面（３１０）と略平行に配置される。
【００１７】
この発明の第６の態様は、第２の態様乃至第５の態様のいずれか一つにかかる埋め込み磁石型の回転子の製造方法である。そして前記ステップ（ａ）において、前記円弧状磁性体（１００ａ〜１００ｊ）の円弧角として、前記回転子の極数で３６０°を除した結果を１８０°から減じた角度を採用して切断する。
【００１８】
この発明の第７の態様は、第２の態様乃至第６の態様のいずれかにかかる埋め込み磁石型の回転子の製造方法である。そして前記ステップ（ａ）において、前記円環状磁性体（１００）を等分して切断する。
【００１９】
この発明の第８の態様は、第７の態様にかかる埋め込み磁石型の回転子の製造方法である。そして前記ステップ（ａ）において、前記円環状磁性体（１００）を４等分して切断する。
【００２０】
この発明の第９の態様は、第７の態様にかかる埋め込み磁石型の回転子の製造方法である。そして前記ステップ（ａ）において、前記円環状磁性体（１００）を６等分して切断する。
【００２１】
この発明の第１０の態様は、第３の態様又は第５の態様にかかる埋め込み磁石型の回転子の製造方法である。そして前記円弧状磁性体（１００）はネオジム系希土類磁石を用いる。
【発明の効果】
【００２２】
この発明の第１の態様によれば、円弧状磁性体は、半径方向に磁化容易軸を有する円環状磁性体をその半径方向に沿って切断して得られるので、磁化容易軸と半径方向との整合性は周方向端部においても優れている。よって半径方向に着磁して得られた円弧状永久磁石は、その磁化方向と半径方向との整合性は周方向端部においても優れている。
【００２３】
この発明の第２の態様及び第４の態様によれば、円弧状永久磁石の周方向端部においても、その半径方向と磁化異方性との整合性が高いので、磁束量が高い。またその磁束を回転子の表面の極中心部に集中させることができる。よってこれを設けた埋め込み磁石型の回転子は、これを採用する電動機の出力や効率を高めることができる。
【００２４】
この発明の第３の態様及び第５の態様によれば、円弧状永久磁石の周方向端部の面から発生する磁束が低いので、コギングトルクを低減することができる。また当該端面と回転子の外周面との間の隙間を小さくし易い。
【００２５】
この発明の第６の態様によれば、円弧状永久磁石の周方向端部と、これが対峙する位置での回転子の外周面とは、ほぼ直角となる。よって回転子の極間の磁路を確保しつつ、円弧状永久磁石の表面積を大きく採ることができる。
【００２６】
この発明の第７の態様によれば、円環状磁性体から無駄を小さくして円弧状磁性体を得ることができる。
【００２７】
この発明の第８の態様によれば、表面磁石型と同程度に、永久磁石の表面積を有する埋め込み磁石型の回転子を得ることができる。
【００２８】
この発明の第９の態様によれば、表面磁石型よりも広く、永久磁石の表面積を有する埋め込み磁石型の回転子を得ることができる。
【００２９】
この発明の第１０の態様によれば、円弧状永久磁石の最大エネルギー積を大きくでき、固定子歯部先端から回転子に流れる磁束を円弧状永久磁石の周方向端部が妨げないように、円弧状永久磁石を薄く製造することができる。
【発明を実施するための最良の形態】
【００３０】
第１の実施の形態．
図１乃至図３は、本発明の第１の実施の形態にかかる、円弧形状の永久磁石を製造する工程を示す図である。図１、図２は斜視図であり、図３は平面図である。
【００３１】
まず半径方向（図１中に鎖線で示される中心軸に直交する方向）に磁化容易軸を有する円環状磁性体１００を得る（図１）。円環状磁性体１００は例えばネオジム系希土類磁石であり、例えば商品名「NEOQUENCH-DR」（ダイドー電子製）を採用することができる。例えば非特許文献１の第２ページにはＮｄ−Ｆｅ−Ｃｏ−Ｂ溶湯を超急冷してＮｄ−Ｆｅ−Ｃｏ−Ｂ薄片（flakes）を得る工程、flakesをコールドプレス（Cold pressing）する工程、Cold pressed materialをホットプレスする工程、後方押出しをしてFinal productを得る工程が順次に図示されている。
【００３２】
そして非特許文献１の第１ページには「NEOQUENCH-DRは、超急冷によって粉末化した薄片をホットプレスしてバルク化した後、高度な熱間押出し加工により成形したネオジム磁石です。微細な結晶流を保ったままホットプレス、熱間塑性加工を行い、理論密度に近い高密度と高いラジアル配向度を実現しました。」とある。また２００１年４月現在でかかる製造方法が可能であることも非特許文献１に記載されている。このようにして半径方向に磁化容易軸を有する円環状磁性体１００を得ることが可能である。
【００３３】
次に円環状磁性体１００を半径方向に沿って切断して複数の円弧状磁性体を得る（図２）。図２（ａ）では円環状磁性体１００を４等分して円弧状磁性体１００ａ〜１００ｄを得た場合を、図２（ｂ）では円環状磁性体１００を６等分して円弧状磁性体１００ｅ〜１００ｊを得た場合を、それぞれ示している。
【００３４】
切断に際しては任意の方法を選択することができ、例えば特許文献２，３に記載された切断方法を適用できる。切断角度については、最終的な磁石形状により決まるが、後述するように、スクラップ量が極小となる角度を採用することが望ましい。また切断後、切断面等の研磨や、表面処理を行う処理を行ってもよい。
【００３５】
そして円弧状磁性体の半径方向に沿って着磁して、円弧状永久磁石２００を得る（図３）。図３において破線矢印は着磁用の磁束を示している。着磁用の磁束は反対向きでもよい。図３では４等分して得られた円弧状磁性体１００ａ（１００ｂ，１００ｃ，１００ｄ）に対して着磁する場合を例示しているが、６等分して得られた円弧状磁性体１００ｅ〜１００ｊを着磁する場合も同様である。
【００３６】
円弧状磁性体１００ａ〜１００ｊは、半径方向に磁化容易軸を有する円環状磁性体１００を、その半径方向に沿って切断して得られるので、磁化容易軸と半径方向との整合性は端部においても優れている。よって半径方向に着磁して得られた円弧状永久磁石２００は、その磁化方向と半径方向との整合性が端部においても優れている。このようにして、端部まで良好に異方化した円弧形状の永久磁石を得ることができる。円弧状永久磁石２００の周方向端部においても、その半径方向と磁化異方性との整合性が高いので、磁束量を高めることができる。特に固定子に埋設した場合、固定子からの磁界の影響を強く受ける周方向端部の減磁耐力も高い。また、周方向にわたって磁気特性や形状が均一となるという利点を有する。
【００３７】
しかも真円度、円筒度も優れているため、寸法精度が良好である。よって従来のように円弧形状のまま焼成して製造する場合と比較して、上述のようにして製造した円弧状永久磁石２００の方が、埋め込み用永久磁石を埋設するために埋め込み磁石型の回転子において設けられる穴（以下「磁石埋設用穴」）とこれに埋め込まれる埋め込み用磁石との間の隙間は小さくできる。
【００３８】
円弧状磁性体の半径方向に沿って着磁する方法としては、公知の手法を採用できる。例えば円弧状磁性体を、回転子の磁石埋設用穴に埋設する。そして、この回転子の外側から、回転子磁極数と同数でコイルが巻回された凸極を有する着磁ヨークを被せ、当該コイルに着磁電流を流す。かかる技術は例えば特許文献１において従来技術として示される。あるいは回転子と共に電動機を構成する固定子のコイルにおいて集中巻が採用されている場合には、固定子のコイルに着磁電流を流してもよい。
【００３９】
第２の実施の形態．
図４は、本発明の第２の実施の形態にかかる埋め込み磁石型の回転子３００の構造を示す断面図であり、回転子３００の回転軸に垂直な断面が示されている。回転子３００の内側には磁石埋設用穴３０１ａ〜３０１ｄが、中心には回転軸が挿入される回転軸挿入穴３０２が、それぞれ設けられている。回転子３００は積層した電磁鋼板等からなる回転子鉄芯３００ａを備えており、回転子鉄芯３００ａに磁石埋設用穴３０１ａ〜３０１ｄや回転軸挿入穴３０２が穿たれている。磁石埋設用穴３０１ａ〜３０１ｄにはそれぞれ円弧状永久磁石２００ａ〜２００ｄが埋め込まれている。
【００４０】
かかる回転子３００は以下のように製造される。まず、第１の実施の形態において示された製造方法によって得られた円弧状磁性体１００ａ〜１００ｄの凸側を、中心軸側に向けて、回転子３００の内側に設けられた磁石埋設用穴３０１ａ〜３０１ｄに埋め込む。その後、必要であれば軸方向両端に端板を配し、ボルトやリベット等にて回転子鉄心３００ａを締結する。図４ではボルトを挿入するためのボルト挿入穴３０３ａ〜３０３ｄが回転子鉄芯３００ａに設けられている場合が図示されている。
【００４１】
上述のように、円弧状磁性体１００ａ〜１００ｄの寸法精度は良好であるので、磁石埋設用穴３０１ａ〜３０１ｄと、これらのそれぞれに埋め込まれる円弧状磁性体１００ａ〜１００ｄとの間の隙間は小さくできる。
【００４２】
次に円弧状磁性体１００ａ〜１００ｄを着磁して、それぞれ円弧状永久磁石２００ａ〜２００ｄにする。着磁工程は、第１の実施の形態で説明したように、着磁ヨークに巻回されたコイル、又は固定子に巻回されたコイルに電流を流すことで実現できる。
【００４３】
円弧状磁性体１００ａ〜１００ｄを回転子３００に埋め込む前に着磁し、円弧状永久磁石２００ａ〜２００ｄを得てから、これらを磁石埋設用穴３０１ａ〜３０１ｄに埋設することも可能である。しかし円弧状永久磁石２００ａ〜２００ｄと回転子鉄芯３００ａとが強力に引き合うので、円弧状磁性体１００ａ〜１００ｄを回転子３００に埋め込んでから着磁する方が、作業は容易となる。
【００４４】
かかる回転子３００は、図示しない固定子に内包される。そして固定子に巻回されたコイルに対し、所定の波形を有する電流を流して回転磁界を発生させる。当該回転磁界と、回転子３００の円弧状永久磁石２００ａ〜２００ｄによる磁束との相互作用によりマグネットトルクが発生する。更に回転磁界と、回転子鉄芯３００ａの逆突極性に起因して発生するリラクタンストルクも発生する。これら二つのトルクにより、回転軸を中心として回転子３００が回転する。
【００４５】
円弧状永久磁石２００ａ〜２００ｄの凸側を中心軸側に向けて、回転子３００内部に埋設するので、永久磁石の磁極表面積を大きく採ってマグネットトルクを増大させることができる。しかも磁束を回転子３００の表面の極中心部に集中させることができるので、回転子３００を採用する電動機の出力や効率を高めることができる。またリラクタンストルクに影響するｄ軸インダクタンスとｑ軸インダクタンスの比を大きくできるので、リラクタンストルクも増大させることができる。よって同一体積の回転子において、より大きいトルクを出すことが可能となる。
【００４６】
逆に同一トルクを出すのであれば、大幅な小型化が可能となる。例えば、本実施の形態の場合、同一の永久磁石の磁極面積を確保するのであれば、平板磁石を用いた場合に比べ、回転子外径を７０％程度へと小径化することが可能である。
【００４７】
第３の実施の形態．
図５は、本発明の第３の実施の形態にかかる埋め込み磁石型の回転子３００の構造の一部を拡大して示す断面図であり、回転軸に垂直な断面が示されている。本実施の形態では第２の実施の形態において更に、円弧状永久磁石２００ａの周方向についての端部（以下「周方向端部」と称す）２０１ａ，２０２ａが、回転子鉄芯３００ａの外周面３１０に対し略直交している。図示しないが、第１の実施の形態で示された他の円弧状永久磁石２００ｂ〜２００ｄについてもそれらの周方向端部２０１ａ，２０２ａが、回転子鉄芯３００ａの外周面３１０に対し略直交する。これにより、回転子３００の極間の磁路を確保しつつ、円弧状永久磁石２００ａ〜２００ｄの表面積を大きく採ることができる。
【００４８】
また、円弧状永久磁石２００ａの周方向端部２０１ａ，２０２ａの面（以下「周方向端面」）２０３ａ，２０４ａと固定子鉄芯３００ａの外周面３１０とは略平行である。換言すれば、円弧状永久磁石２００ａ〜２００ｄの周方向端面、つまり円環状磁性体１００を４等分して切断する際の切断面が、円環状磁性体１００の略半径方向となる。
【００４９】
円弧状永久磁石２００ａ〜２００ｄの形状をこのようにすることにより、円弧状永久磁石２００ａ〜２００ｄの周方向端部の面から発生する磁束はほとんどない。従って円弧状永久磁石２００ａ〜２００ｄの磁束は、円弧面から発生することとなり、コギングトルクが小さく、トルク脈動低減効果をも有する。
【００５０】
円弧状永久磁石２００ａの周方向端面２０３ａ，２０４ａから磁束が発生しないので、もしも周方向端部の面２０１ａ，２０２ａが広い場合、固定子歯部先端から回転子３００へと磁束が流れにくくなるかもしれない。しかしネオジム系希土類磁石など、最大エネルギー積の大きい材料を用いれば、薄い永久磁石が実現できるため、そのような弊害を回避できる。
【００５１】
また、円弧状永久磁石２００ａの周方向端面２０３ａ、２０４ａと回転子鉄心３００ａの外周面３１０との間にある部分３１１を薄くし易く、部分３１１における磁束の漏れを小さくすることもできる。これは円弧状永久磁石２００ｂ〜２００ｄと回転子鉄心３００ａの外周面３１０との間にある部分についても同様である（図示省略）。
【００５２】
ここで、円弧状永久磁石２００の周方向端部が、回転子鉄芯３００ａの外周面３１０に対し略直交するためには、極数をＰとして、円弧状永久磁石２００の円弧角は、略（１８０−３６０／Ｐ）度となる。４極の場合は略９０度、６極の場合は略１２０度となる。
【００５３】
４極の場合、永久磁石の円弧角が９０°であるので、磁極面積は表面磁石型と同等となる。６極の場合、磁極面積は表面磁石型よりも広くなる。いずれの場合も、平板状の場合よりも永久磁石の磁極面積を広くできる。
【００５４】
平板型磁石又は表面磁石型に対する磁極面積の優位性でいえば、極数が増すほど増大するが、次の理由で、４極又は６極が好適である。
【００５５】
すなわち、円環状磁性体１００を切断、分割して円弧状磁性体１００ａ〜１００ｊを得るので、円環状磁性体１００の無駄を小さくするには、ｎを２以上の整数とした時、永久磁石の円弧角は、略（３６０／ｎ）度が望ましい。これを満たすのは、４極の場合と６極の場合のみである。
【００５６】
なお、２極の場合は、逆円弧形状の永久磁石を埋設することは困難であり、表面磁石型以上に磁極面積を増大させることは困難である。
【００５７】
固定子については、集中巻、分布巻等、各形態を適用できる。また巻線方式についても、３相巻線でインバータ駆動をするのが一般的であるが、これらに限定されるものではない。
【図面の簡単な説明】
【００５８】
【図１】本発明の第１の実施の形態において円弧形状の永久磁石を製造する工程を示す斜視図である。
【図２】本発明の第１の実施の形態において円弧形状の永久磁石を製造する工程を示す斜視図である。
【図３】本発明の第１の実施の形態において円弧形状の永久磁石を製造する工程を示す平面図である。
【図４】本発明の第２の実施の形態において埋め込み磁石型の回転子の構造を示す断面図である。
【図５】本発明の第３の実施の形態において埋め込み磁石型の回転子の構造の一部を拡大して示す断面図である。
【符号の説明】
【００５９】
１００  円環状磁性体
１００ａ〜１００ｊ  円弧状磁性体
２００，２００ａ〜２００ｄ  円弧状永久磁石
２０１ａ，２０２ａ  周方向端部
２０３ａ，２０４ａ  周方向端面
３００  回転子
３１０  外周面
【図１】
2005210803.tif 000003
【図２】
2005210803.tif 000004
【図３】
2005210803.tif 000005
【図４】
2005210803.tif 000006
【図５】
2005210803.tif 000007